(57)【要約】【課題】不正貼替え行為を認識ないし防止可能で、不正貼替え行為者にその不正貼替え行為防止機能を見破られにくいとともに、ラベル自体の見栄えを低下させることがない値下げラベルおよびその貼付け方法を提供すること。【解決手段】ラベル本体の表面に分割形成した値下げ表示領域１６および貼付け領域１７に、各種の文字、記号あるいは図形などによる同一のラベル個別情報１８をそれぞれ表示しておくことに着目したもので、ラベル本体の表面領域１４をミシン目１５を介して所定割合に分割して形成した値下げ表示領域１６および貼付け領域１７を有し、値下げ表示領域１６の表面には、価格の値下げを表示可能とするとともに、値下げ表示領域１６および貼付け領域１７には、同一のラベル個別情報１８をそれぞれ表示しておき、値下げ表示領域１６と貼付け領域１７との分離を認識可能として、不正貼替え操作を防止可能としていることを特徴とする。【選択図】図１
2010128260.tif 000002
【特許請求の範囲】
【請求項１】
ラベル基材から構成したラベル本体と、
このラベル本体の裏面に形成した粘着剤層と、を有し、
商品に表示されているその価格を値下げするためにこの商品に貼り付ける値下げラベルであって、
前記ラベル本体の表面領域をミシン目を介して所定割合に分割して形成した値下げ表示領域および貼付け領域を有し、
この値下げ表示領域の表面には、前記価格の前記値下げを表示可能とするとともに、
前記値下げ表示領域および前記貼付け領域には、同一のラベル個別情報をそれぞれ表示しておき、前記値下げ表示領域と前記貼付け領域との分離を認識可能として、不正貼替え操作を防止可能としていることを特徴とする値下げラベル。
【請求項２】
前記貼付け領域は、これを透明領域とするとともに、
前記商品に表示されている前記価格に関連した光学読取り表示部の読取りを不可能とする一方、前記商品に表示されている前記価格に関連した、人間の目視による必要なヒューマン表示部の読取りを可能とする網点を前記貼付け領域に形成したことを特徴とする請求項１記載の値下げラベル。
【請求項３】
前記貼付け領域には、
前記値下げ表示領域の表示内容と同一の内容を表示することを特徴とする請求項１記載の値下げラベル。
【請求項４】
前記粘着剤層の粘着剤による粘着力は、
前記ミシン目を介した前記値下げ表示領域と前記貼付け領域との間の結合力よりこれを大きくしてあることを特徴とする請求項１記載の値下げラベル。
【請求項５】
ラベル基材から構成したラベル本体と、
このラベル本体の裏面に形成した粘着剤層と、を有し、
商品に表示されているその価格を値下げするためにこの商品に貼り付ける値下げラベルの貼付け方法であって、
前記値下げラベルは、
前記ラベル本体の表面領域をミシン目を介して所定割合に分割して形成した値下げ表示領域および貼付け領域を有し、
この値下げ表示領域の表面には、前記価格の前記値下げを表示可能とするとともに、
前記値下げ表示領域および前記貼付け領域には、同一のラベル個別情報をそれぞれ表示しておき、前記値下げ表示領域と前記貼付け領域との分離を認識可能として、前記値下げラベルの不正貼替え操作を防止可能とすることを特徴とする値下げラベルの貼付け方法。
【発明の詳細な説明】
【技術分野】
【０００１】
本発明は値下げラベルおよびその貼付け方法にかかるもので、とくに商品に表示されているその価格を値下げしているように装う値下げラベルの不正貼替え行為を認識および防止するための値下げラベルおよびその貼付け方法に関するものである。
【背景技術】
【０００２】
従来の値下げラベルおよびその貼付け方法について、図８および図９にもとづき概説する。
図８は、従来の価格表示ラベル１および値下げラベル２の平面図である。
価格表示ラベル１は、その表面の表示部３に、品名表示部４と、価格表示部５と、バーコード表示部６（光学読取り表示部、価格関連情報表示部）と、ヒューマン表示部７（価格関連情報表部）と、を画成しており、それぞれ必要な情報を印字表示している。
なお、これらの表示情報は、商品の種類によっては、価格表示ラベル１を用いて、あるいは用いずに、その包装容器などの表面に直接印刷されている場合もある。
【０００３】
バーコード表示部６は、バーコードや二次元コードその他の光学読み取り可能な記号を表示した光学読取り表示部であって、具体的には商品およびその価格に関する管理番号や、その他の価格関連情報を表示する価格関連情報表示部である。
ヒューマン表示部７は、一般的には価格表示ラベル１の下方部に形成されていることが多く、バーコード以外の文字や記号であって、人が視認可能な文字や記号により、たとえば小売り店の店名やその住所および商品の内容その他、消費期限、加工日、内容量、加工者、販売店など、必要に応じて各種の価格関連情報を表示する価格関連情報表示部である。
【０００４】
値下げラベル２は、上記価格表示ラベル１により商品に表示されているその価格を値下げするためにこの商品にこれを貼り付ける。
すなわち値下げラベル２は、値下げ価格表示部８と、バーコード表示部６の表示内容に変更がある場合にその変更内容に対応するバーコードを表示した変更バーコード表示部９と、を画成しており、それぞれ必要な情報を印字表示している。なお、値下げ価格表示部８は、図示している例以外にも、いくら値下げするかの情報を表示することもある。
【０００５】
図９は、値下げラベル２を価格表示ラベル１の一部に貼り付けた状態を示す平面図であって、値下げラベル２により価格表示ラベル１の価格表示部５を変更することを表示している状態を示している。
【０００６】
しかして、この値下げラベル２を価格表示ラベル１あるいは商品から引き剥がすとともに、他の商品に貼り付けてある価格表示ラベル(図示せず)にこのはがした値下げラベル２を貼り付けることにより、当該他の商品が値下げ表示されているように見せかけて不正に価格を偽って購入しようとする、いわゆる不正貼替え行為がある。
この不正貼替え行為を認識ないし防止するために、値下げラベル２にその周縁から切込みを形成しておき、これをはがそうとすると値下げラベル自体が切れてしまうようにした不正貼替え防止用の値下げラベルも開発されているが、このような切込みが不正貼替え行為者に見破れやすいという問題、あるいはこの切込みが値下げラベル自体の見栄えを低下させているという問題がある。
【０００７】
【特許文献１】特開２００７−２４０８９０号公報
【発明の開示】
【発明が解決しようとする課題】
【０００８】
本発明は以上のような諸問題にかんがみなされたもので、不正貼替え行為を認識ないし防止可能な値下げラベルおよびその貼付け方法を提供することを課題とする。
【０００９】
また本発明は、不正貼替え行為者にその不正貼替え行為防止機能を見破られにくい値下げラベルおよびその貼付け方法を提供することを課題とする。
【００１０】
また本発明は、ラベル自体の見栄えを低下させることがない値下げラベルおよびその貼付け方法を提供することを課題とする。
【課題を解決するための手段】
【００１１】
すなわち本発明は、ラベル本体の表面に分割形成した値下げ表示領域および貼付け領域に、各種の文字、記号あるいは図形などによる同一のラベル個別情報をそれぞれ表示しておくこと、この一対の個別情報がない値下げラベル、あるいは個別情報が一対あってもこれらが符合しない値下げラベルは、不正な貼替え行為があったものと推測可能であることに着目したもので、第一の発明は、ラベル基材から構成したラベル本体と、このラベル本体の裏面に形成した粘着剤層と、を有し、商品に表示されているその価格を値下げするためにこの商品に貼り付ける値下げラベルであって、上記ラベル本体の表面領域をミシン目を介して所定割合に分割して形成した値下げ表示領域および貼付け領域を有し、この値下げ表示領域の表面には、上記価格の上記値下げを表示可能とするとともに、上記値下げ表示領域および上記貼付け領域には、同一のラベル個別情報をそれぞれ表示しておき、上記値下げ表示領域と上記貼付け領域との分離を認識可能として、不正貼替え操作を防止可能としていることを特徴とする値下げラベルである。
【００１２】
第二の発明は、ラベル基材から構成したラベル本体と、このラベル本体の裏面に形成した粘着剤層と、を有し、商品に表示されているその価格を値下げするためにこの商品に貼り付ける値下げラベルの貼付け方法であって、上記値下げラベルは、上記ラベル本体の表面領域をミシン目を介して所定割合に分割して形成した値下げ表示領域および貼付け領域を有し、この値下げ表示領域の表面には、上記価格の上記値下げを表示可能とするとともに、上記値下げ表示領域および上記貼付け領域には、同一のラベル個別情報をそれぞれ表示しておき、上記値下げ表示領域と上記貼付け領域との分離を認識可能として、上記値下げラベルの不正貼替え操作を防止可能とすることを特徴とする値下げラベルの貼付け方法である。
【００１３】
上記貼付け領域は、これを透明領域とするとともに、上記商品に表示されている上記価格に関連した光学読取り表示部の読取りを不可能とする一方、上記商品に表示されている上記価格に関連した、人間の目視による必要なヒューマン表示部の読取りを可能とする網点を上記貼付け領域に形成することができる。
【００１４】
上記貼付け領域には、上記値下げ表示領域の表示内容と同一の内容を表示することができる。
【００１５】
上記粘着剤層の粘着剤による粘着力は、上記ミシン目を介した上記値下げ表示領域と上記貼付け領域との間の結合力よりこれを大きくしてあることができる。
【発明の効果】
【００１６】
本発明による値下げラベルおよびその貼付け方法においては、ラベル本体の表面に分割形成した値下げ表示領域および貼付け領域に、同一のラベル個別情報をそれぞれ表示しておくとともに、この個別情報が符合しない値下げラベルは、不正な貼替え行為があったものと推測するようにしたので、とくにこの個別情報を値下げラベル上の他の値下げ価格表示部などとデザイン的に混合ないし混入した状態で表示しておけば、不正貼替え行為者に見破られにくい値下げラベルとすることができる。
【００１７】
とくに第一の発明によれば、ミシン目により値下げ表示領域および貼付け領域を画成したので、このミシン目から値下げ表示領域および貼付け領域が互いに分離されやすく、それぞれの個別情報がラベルの領域ごとに分離して、個別情報の認識により不正貼替え行為を容易に見破ってこれを防止することができる。
【００１８】
とくに第二の発明によれば、ミシン目により値下げ表示領域とは分けて画成した貼付け領域により値下げラベルを貼り付け可能としたので、より簡単に取り除き可能であるように思われる値下げ表示領域がミシン目から分離されやすく、個別情報が値下げ表示領域および貼付け領域にそれぞれ分離しやすく、不正貼替え行為を認識しやすくすることができる。
さらに、貼付け領域とともに値下げ表示領域も貼り付け可能とすれば、これらの領域の間に位置するミシン目を破らないように値下げラベル全体をはがさなければならず、不正貼替え行為自体を思いとどまらせることができる。
【発明を実施するための最良の形態】
【００１９】
本発明は、ミシン目により互いに分離可能な値下げ表示領域および貼付け領域にそれぞれ個別情報を表示しておくようにしたので、不正貼替え行為を見いだしやすく、この行為を認識ないし防止する機能を発揮することができる値下げラベルおよびその貼付け方法を実現した。
【実施例】
【００２０】
つぎに本発明の第１の実施例による値下げラベル１０およびその貼付け方法を図１ないし図５にもとづき説明する。ただし、図８および図９と同様の部分には同一符号を付し、その詳述はこれを省略する。
図１は、値下げラベル１０の平面図、図２は、図１のＩＩ−ＩＩ線断面図、図３は、値下げラベル１０の裏面図である。
値下げラベル１０は、透明なＰＥＴその他の透明基材から構成したラベル本体１１と、ラベル本体１１の裏面側に形成した透明な粘着剤層１２と、粘着剤層１２の裏面に仮着可能な剥離剤層を有する台紙１３と、を有する。
【００２１】
ラベル本体１１の表面側の表面領域１４は、これを所定割合に分割し、ミシン目１５を介して互いに隣り合うとともに互いに分離可能な値下げ表示領域１６および貼付け領域（透明領域１７）を形成している。この分割の割合は、図示の例ではほぼ半分としているが、値下げ表示領域１６および透明領域１７の表示内容量および透明領域１７の貼付け機能を考慮して選択可能である。
なお、図示の例では、値下げ表示領域１６および透明領域１７が互いに横並びになっている構成を示したが、価格表示ラベル１あるいは値下げラベル１０の表示レイアウトに応じて、値下げ表示領域１６および透明領域１７を縦並びに隣接させるようにすることもできる。
【００２２】
値下げ表示領域１６には、値下げ価格（値下げ価格表示部８）およびバーコード（変更バーコード表示部９）など価格の変更を表示可能とする。
さらに、値下げ表示領域１６および透明領域１７には、同一のラベル個別情報１８をそれぞれ表示して、不正貼替え行為（後述）による値下げ表示領域１６と透明領域１７との分離を識別ないし認識可能とすることができる。
このラベル個別情報１８としては、値下げラベル１０すなわちこの値下げラベル１０を貼り付ける商品それぞれに固有のもので、値下げラベル１０を管理者が目視により認識可能であれば、文字、記号や図形その他任意の表現形態を採用可能であって、たとえば値下げラベル１０を印字する任意のプリンター(図示せず)のカレンダー機能あるいは連続番号印字機能などによりこれを表示する。たとえば図示の例では、「１７日の０５時」に準備した(あるいは貼り付けた）値下げラベル１０であることを示している。
【００２３】
なお、粘着剤層１２の粘着剤を強粘着性として、この粘着剤による粘着力が、ミシン目１５を介した値下げ表示領域１６と透明領域１７（貼付け領域）との間の結合力より大きくなるようにしてある。
【００２４】
透明領域１７には、透視度が１５〜３５％の網点１９（たとえば３０％の網点）を形成して半透明とする。
なお、網点１９とは、細かい点を所定密度で印刷することにより、その下層側に積層位置する表示内容について、これを透かしてみることができるような、逆に言えばこれを透かして見にくくするような所定の透視度ないしは被覆効果を得るようにするものである。
【００２５】
図８に示すように、商品には、価格表示部５とともに、商品に関する価格関連情報を表示する光学読み取り可能なバーコード表示部６（光学読取り表示部）を表示しており、透明領域１７は、このバーコード表示部６の少なくとも一部を被覆可能として、レジにおいてバーコード表示部６のバーコードを読み取ることによる値下げ処理の誤りを回避可能とする。
【００２６】
透明領域１７の網点１９は、波長が４００〜６００ｎｍの色（紫、紺や青、緑など）によりこれを形成することが望ましい。
すなわち、一般的にバーコードの光学読取りに使用されている半導体レーザーは、波長６５０ｎｍの可視光が使用されており、たとえば価格表示ラベル１（図８）として地色が反射率の高い白色が一般的であるとき、そのバーコード表示部６におけるバーコードは、一般的に、白と反射率のコントラストが大きな黒、あるいは波長が４００〜６００ｎｍの色である紫、青や紺あるいは緑などで印刷されていることが多く、波長が４７０〜６００ｎｍ近傍の黄、橙、赤などの色は使用されていない。
換言すれば、紫、青や紺あるいは緑などの色は、白地に対して黒と同様にバー（黒バー）としてみなされ、一方、黄、橙、赤などの色は、白地に対してスペース（白バー）としてみなされることになる（特許文献１の図３を参照）。
【００２７】
したがって、透明領域１７の網点１９を波長が４００〜６００ｎｍの色によりこれを形成し、その透視度を１５〜３５％とすれば、価格表示ラベル１のバーコード表示部６は光学的には白地の反射率が１５〜３５％分だけ低下し、バーコードにおけるバーとスペースとの間のコントラストが低下する結果、ＰＣＳ（Ｐｒｉｎｔ  Ｃｏｎｔｒａｓｔ  Ｓｉｇｎａｌ）値が相対的に低下する。
なお、ＰＣＳ＝（スペースの反射率−バーの反射率）／スペースの反射率、であって、この値が７０％を下回るとバーコードとしての光学読取りが不可能となる。
このＰＣＳ値の低下によってバーコードを光学的に読み取ることが不可能となる一方、網点１９の透視度が１５〜３５％であるので、人間の目にはバーコード表示部６およびその近傍のヒューマン表示部７を十分に読み取ることができる。
もちろん、バーコードなど光学読取り記号については、その地色、読取りレーザー光の波長に応じて、透明領域１７の網点１９の色を選択することができる。
かくして、網点１９は、商品に表示されている価格に関連した光学読取り表示部６の読取りを不可能とする一方、商品に表示されている価格に関連した、人間の目視による必要なヒューマン表示部７の読取りを可能とする。
【００２８】
台紙１３は、上記ミシン目１５（図１、図２）に対応する部位に形成した分離切取り線２０により、値下げ表示領域１６の裏面に積層する値下げ表示領域用台紙２１と、透明領域１７（貼付け領域）の裏面に積層する透明領域用台紙２２（貼付け領域用台紙）と、にこれを分割分離可能としてある。
なお、台紙１３（値下げ表示領域用台紙２１、透明領域用台紙２２）の地色は、これを白色とすることが望ましい。
【００２９】
図４は、図２と同様の断面図であって、値下げ表示領域用台紙２１をはがさずにラベル本体１１に残したままで、透明領域用台紙２２をラベル本体１１から剥離し、露出した粘着剤層１２により当該値下げラベル１０を前記価格表示ラベル１（図８）に貼り付け可能としている。
【００３０】
こうした構成の値下げラベル１０を使用するにあたっては、図４に示したように、値下げ表示領域用台紙２１をはがさずにラベル本体１１の裏面に残したままで、透明領域用台紙２２をラベル本体１１から剥離し、露出した粘着剤層１２により、その透明領域１７の部分を商品に表示されている前記価格表示ラベル１（図８）の表示部（バーコード表示部６）に重ね合わせるように貼り付ける。
すなわち図５は、値下げラベル１０を価格表示ラベル１に貼り付けた状態を示す平面図であって、とくに値下げラベル１０の透明領域１７を価格表示ラベル１の少なくともバーコード表示部６におけるバーコードや二次コードの少なくとも一部あるいは全部、およびヒューマン表示部７の部分を覆うように貼り付けている。
なお、値下げラベル１０は、価格表示ラベル１の価格表示部５の価格表示を変更することがその第一義的な機能であり、したがって、その値下げ価格表示部８を価格表示部５に隣接した位置に並列させて、価格が値下げされていることを顧客が簡単に視認することができるように貼り付ける必要がある。とくに値下げ価格表示部８のヒューマン文字が価格表示部５の表示内容に対して逆さまであったり、９０度回転して貼り付けることがないようにする。
【００３１】
透明領域１７は、人の目による目視では半透明であり、ヒューマン表示部７に表示されている、たとえば店名やその住所および商品の内容その他の価格関連情報を確認することができる。
一方、バーコード表示部６のバーコードなどをバーコードスキャナーなどの光学読取り器（図示せず）により読み取る際には、網点１９を施された透明領域１７がバーコードの上に被覆されているため、この部分のＰＣＳ値が相対的に低下し、レジにおいては、価格表示ラベル１のバーコード表示部６におけるバーコードを読み取ることができず、すなわち変更前のバーコードなどを誤って読み取ることなく、値下げラベル１０の値下げ表示領域１６におけるバーコード（変更バーコード表示部９）を読み取り、適正な値下げ処理を行うことができる。
ただし、値下げ表示領域１６に表示した変更バーコード表示部９を機械的に読み取る際にも、値下げ表示領域１６には白色ラベルの値下げ表示領域用台紙２１が裏打ちされているので、ＰＣＳ値を必要なレベルで得ることが可能であってその読取り操作に支障はない。
【００３２】
なお、商品の顧客に対しては、価格表示ラベル１が表示する、バーコード表示部６およびヒューマン表示部７の部分を含む全体の表示部分を目視可能として隠蔽する部分がないので、値下げ処理を目立たせることができる。
【００３３】
さらに、値下げラベル１０の値下げ表示領域１６を取り去って、他の商品に貼り付けて不正に廉価の商品に見せかけようとする、いわゆる不正貼替え行為をある顧客が行おうとして、通常はこの値下げ表示領域１６を引っ張ると、値下げラベル１０を貼り付けている粘着剤層１２の粘着剤が強粘着性であるため、ミシン目１５の部分が破れて値下げ表示領域１６と透明領域１７とが分離して分かれてしまう。
しかしながら、値下げ表示領域１６および透明領域１７には、同一のラベル個別情報１８が表示されているので、レジにおける精算の際に値下げ表示領域１６および透明領域１７それぞれにラベル個別情報１８がない場合、あるいはこのラベル個別情報１８が異なる場合には、この不正貼替え行為があったことと推測し、当該不正貼替え行為を防止することができる。
また、値下げラベル１０における値下げ表示領域１６には値下げ表示領域用台紙２１が裏打ちされたまま残っているので、不正貼替え行為者は、この値下げ表示領域１６をまずつまんでこれを取り去ろうとすることになり、上述のように、値下げ表示領域１６部分のみを破いてしまうことになりかねないので、不正貼替え行為を行うためには、ミシン目１５が破れないように注意する必要があり、かえってこの不正貼替え行為を敢えて実行することをためらう可能性もあるという不正貼替え行為の抑止効果もある。
【００３４】
なお本発明においては、値下げラベル１０のラベル本体１１が透明基材である必要はなく、一般的には不透明なラベル基材からこれを構成することも可能である。
すなわち、図６は、本発明の第２の実施例による値下げラベル３０の平面図、図７は、図６のＶＩＩ−ＶＩＩ線断面図である。
値下げラベル３０は、紙材その他の不透明なラベル基材から構成したラベル本体３１と、ラベル本体３１の裏面側に形成した粘着剤層３２と、粘着剤層３２の裏面に仮着可能な剥離剤層を有する前記台紙１３と、を有する。
【００３５】
前記ミシン目１５により前記値下げ表示領域１６（第１の値下げ表示領域）と分離可能に構成している前記透明領域１７（貼付け領域）に相当する第２の値下げ表示領域３３には、値下げ表示領域１６の表示内容と同一の内容（値下げ価格表示部８、変更バーコード表示部９、ラベル個別情報１８）を表示している。すなわち、値下げ表示領域１６および値下げ表示領域３３は、ミシン目１５を介して全く同一の値下げ価格に関連した情報を表示していることになる。
【００３６】
さらに、台紙１３の間には、前記分離切取り線２０（図３）を形成せず、台紙１３全体を剥離可能としてあり、値下げ表示領域１６および第２の値下げ表示領３３の裏面側の全面にわたる粘着剤層３２により値下げラベル３０を貼り付ける可能としている。
【００３７】
こうした構成の値下げラベル３０においても、値下げラベル１０（図１）と同様に、商品に貼り付けられた値下げラベル３０が同一のラベル個別情報１８を有しているか、あるいは、一対のラベル個別情報１８があったとしてもこれらが互いに符合しているか、を目視によって確認して、不正貼替え行為を認識および防止可能である。
【００３８】
また、第２の値下げ表示領域３３とともに値下げ表示領域１６も貼り付け可能としているので、これらの値下げ表示領域１６および第２の値下げ表示領域３３の間に位置するミシン目１５を破らないように値下げラベル３０全体をはがさなければならず、不正貼替え行為自体を思いとどまらせることができる。
【００３９】
なお本発明においては、台紙１３は必須の構成ではなく、台紙１３を省略してラベル本体３３の表面に剥離剤層などを形成するなどした構成の、いわゆる台紙なしラベル（図示せず）にもこれを適用することができる。
【図面の簡単な説明】
【００４０】
【図１】本発明の第１の実施例による値下げラベル１０の平面図である。
【図２】同、図１のＩＩ−ＩＩ線断面図である。
【図３】同、値下げラベル１０の裏面図である。
【図４】同、透明領域用台紙２２をラベル本体１１から剥離した状態の、図２と同様の断面図である。
【図５】同、値下げラベル１０を価格表示ラベル１に貼り付けた状態を示す平面図である。
【図６】本発明の第２の実施例による値下げラベル３０の平面図である。
【図７】同、図６のＶＩＩ−ＶＩＩ線断面図である。
【図８】従来の価格表示ラベル１および値下げラベル２の平面図である。
【図９】同、値下げラベル２を価格表示ラベル１の一部に貼り付けた状態を示す平面図である。
【符号の説明】
【００４１】
１  価格表示ラベル（図８）
２  値下げラベル
３  表示部
４  品名表示部
５  価格表示部
６  バーコード表示部
７  ヒューマン表示部
８  値下げ価格表示部
９  変更バーコード表示部
１０  値下げラベル（第１の実施例、図１）
１１  ラベル本体
１２  粘着剤層
１３  地色が白色の台紙
１４  ラベル本体１１の表面領域
１５  ミシン目
１６  表面領域１４の値下げ表示領域（第１の値下げ表示領域）
１７  表面領域１４の透明領域（貼付け領域）
１８  ラベル個別情報
１９  網点
２０  分離切取り線
２１  台紙１３の値下げ表示領域用台紙
２２  台紙１３の透明領域用台紙（貼付け領域用台紙）
３０  値下げラベル（第２の実施例、図６）
３１  ラベル本体
３２  粘着剤層
３３  第２の値下げ表示領域
【図１】
2010128260.tif 000003
【図２】
2010128260.tif 000004
【図３】
2010128260.tif 000005
【図４】
2010128260.tif 000006
【図５】
2010128260.tif 000007
【図６】
2010128260.tif 000008
【図７】
2010128260.tif 000009
【図８】
2010128260.tif 000010
【図９】
2010128260.tif 000011